(57)【要約】【課題】  従来のビデオカメラは、結婚式、運動会、卒業式などのイベント撮影に使われる時間より、使われずに眠っている時間の方が長い。眠っているカメラを、例えば防犯用として使いたくても、録画を自動的に開始させたり終了させたりする機能がないため使えなかった。本発明により、ズームなどで任意に設定したサイズのフレーム内で何かが動いた時に動画や静止画を自動的に記録できるようになるため、使い勝手が従来のものより格段に上がる携帯型デジタル機器を提供する。【解決手段】カメラを目標に向けて設置した後、自動録画モードをＯＮにしてカメラを録画待機状態にし、待機中の刻々の画像を比較して、前後の画像に差が生じた時に録画を開始する。その後、画像に差がなくなった時点で録画を止め、録画待機状態に戻して次の自動録画場面に備えることを特徴とする。【選択図】図１
2015226318.tif 000002
【特許請求の範囲】
【請求項１】
録画待機状態の画面に新たに何かが侵入した時、又は、それまで動きのなかった録画待機状態の画面の中の何かが動き出した時、動画や静止画を自動的に記録するカメラ機能を有する携帯型デジタル機器。
【発明の詳細な説明】
【技術分野】
【０００１】  本発明は、ズーム機能などで任意のサイズに設定したフレームの枠内で、人や物や動物などが動く様子を自動的に動画や静止画で記録する機能を有するカメラに関するものである。
【背景技術】
【０００２】  カメラのデジタル化が進み、ビデオカメラで静止画が撮れたり、デジタルカメラで動画が撮れるようになり、その境があいまいになった反面、両方を同時に持ち歩かなくてもよくなった。また、携帯電話やスマートホンでも同様の画像が撮れるようになった。性能的にも手ブレ補正や夜景の明瞭な撮影など便利な機能が充実し、価格的にも急激に低価格化が進んで、様々なタイプのカメラ機能を搭載したデジタル機器が出回わってきた。
その使われ方はというと、友達と並んで写真を撮ったり、街中で風景を撮ったり、注文した料理やスイーツなどの写真を撮って楽しんでいる人を見かける事が多いが、その殆んどが携帯電話かスマートホンかデジタルカメラが使用されていた。一方、ビデオカメラはというと、街中で誰かがビデオ撮影してる姿を見かけることは極めて少なかった。従来のビデオカメラは、結婚式の撮影を皮切りに、子供の誕生、幼稚園、子供会、小学校、中学校等々、子供を中心としたイベント撮影に使われるのが殆んどで、子供が大きくなるにつれ、ビデオを撮る機会はだんだん減り、果ては収納ケースに入れたままになってしまうのが一般的だった。
【発明の開示】
【発明が解決しようとする課題】
【０００３】  それには次のような欠点があった。
▲１▼従来のビデオカメラは、結婚式、入学式、学芸会、運動会、卒業式など、その時々のイベント撮影に単発的に使われることが殆んどで、使用されている時間より、むしろ使われずに眠っている時間の方が長かった。
▲２▼従来のビデオカメラは、昔の８ミリカメラや１６ミリカメラの延長で、目の前の風景を撮影するための機器であり、スタートもストップもカメラマンが行うということが基本だった。カメラ自身が自動的に録画をスタートさせたりストップさせたりする機能はなかった。一定の間隔で一定の時間撮影するタイムラプス撮影さえもスタートとストップはカメラマンが行わなければならなかった。
▲３▼眠ったままになっているビデオカメラを、例えば防犯カメラの代用品として使おうとしても、カメラに自動で侵入者を感知し録画させる術はなく、非常に高性能であるにもかかわらず、マニュアル連続撮影以外に使う道はなかった
▲４▼使わないことが原因で使えなくなるということも少なくなかった。
本発明は、以上のような欠点を除くためになされたものである。
【課題を解決するための手段】
【０００４】  （イ）ビデオカメラ（１）を目標に向けて設置する。
（ロ）自動録画モードスイッチをＯＮにしてカメラを録画待機状態にする。
（ハ）録画待機状態の間、一時的に記憶させた刻々のフレーム画像を比較して、前後で画像に差があるかどうかをチェックする。
（ニ）前後に差が生じたことを検知した時に正式な録画を開始する。
（ホ）録画開始後も前後のフレーム画像の差のチェックを続け、その後、前後のフレーム画像に差がなくなった時点で録画をストップし、録画待機状態に戻して次の自動録画に備える。
本発明は、以上の要領で働く自動録画モードを有する携帯型デジタル機器である。
【発明の効果】
【０００５】  本発明の自動録画モード使用により従来のビデオカメラでは出来なかった次のような撮影が可能となる。
▲１▼駐車場に止めてある自動車（３）がイタズラされないように見張ったり、車上荒らしの映像を撮る。
▲２▼落書きの見張りや、落書きする犯人の映像を撮る。
▲３▼玄関にセットして不審者を撮る。
▲４▼玄関にセットして残業で深夜帰宅が多い家族の帰宅時間の記録にする。
▲５▼玄関にセットして、認知症などの徘徊癖が心配される家族が知らない間に出かけることを未然に防ぐアラームとして使ったり、出かけた時の服装など捜索依頼する場合に役立つ情報を残す。
▲６▼ドアののぞき穴にセット出来る小型オプションカメラを本体に接続することが出来るようにすることで、ドアの外をうろつく不審者の映像を撮る。
▲７▼室内にセットして空き巣やストーカーなどの侵入を見張る。
▲８▼庭木の花（５）やベランダに設けたエサ台にやって来る小鳥（４）の姿を室内から撮る。
▲９▼ごみ置き場を荒らす猫やカラスの行動を撮って対策を練る。
▲１０▼畑を荒らす猿やシカ、タヌキやハクビシンなどの野生害獣の行動を撮り、対策を練る。
▲１１▼かけっこやレースなどのゴール付近にセットし、テープカットの瞬間を撮ったり、僅差の場合などには簡易的な写真判定として利用する。
▲１２▼野球場の外野ポール頂部に取り付けてファールかホームランかの判定に使う。
▲１３▼ビニールハウスなどで虫（６）が受粉する姿を花のズームアップで待ち構えて撮る。
▲１４▼自衛隊の野営陣地などの周囲に向けてセットすれば、見張りの一助になり得る。
▲１５▼警察の張込み捜査時のツールとして使う。
【発明を実施するための最良の形態】
【０００６】  以下、本発明を実施の形態について説明する。
▲１▼駐車場に止めてある自動車（３）がイタズラされないように見張ったり、車上荒らしの映像を撮る。
アパートやマンションで自分の車が見える位置に窓があれば、ビデオカメラ（１）を三脚（２）などに載せ、狙うアングルに固定した後、ズーム調節により狙う車を丁度よい大きさになるよう調整し、自動録画モードのスイッチをＯＮにする。
赤外線センサーなどとは違い、遠距離に設置した場合でも設定したフレーム範囲内に動くものが入った時にだけ録画が実行されるため、範囲外の不要な動きにたいする無駄な録画を省くことが出来るし、カメラに気づかれることがないので危険を冒すことなく撮影することが出来る。また、「防犯カメラ撮影中」の注意書きを表示すればイタズラの抑止にも効果的である。
具体的な録画開始のタイミングは、録画待機状態の前後画像のチェック時に差が生じた瞬間より数秒前から録画し、前後の画像に差がなくなった数秒後にストップした方が後から見たときにわかりやすい映像になる。
▲２▼落書きの見張りや、落書きする犯人の映像を撮る。
過去に落書きされたシャッター面をきれいにした後、再度落書きされないように、またはこれから落書きされる恐れのある平面に向けてズームを合わせ、落書きされた場合の犯人の映像を撮れるようにしておく。近くに止めた車の中から撮るなど、ある程度離れた位置から相手に警戒されないようにして撮ることも可能である。
▲３▼玄関にセットして不審者の訪問に備える。
玄関ドアまわりが写せる壁などにカメラを取り付けて、自動録画モードのスイッチをＯＮにしておく。舞台が玄関であるため、カメラから被写体までの距離が近い上に、被写体が人なので赤外線センサーで録画がスタートできるタイプの自動録画モードでもよい。
▲４▼玄関にセットして残業などで深夜の帰宅が多い家族の帰宅時間の記録にする。
深夜の帰宅時間を毎日記録するのは困難な作業であるが、録画された時刻を昼間や休日にまとめて記録するのは比較的楽な作業となる。過労死などに発展する前に対策を打つための資料や、上司や組合に相談したり、監督署に相談する場合の資料にすることも可能である。
▲５▼玄関にセットして、認知症などで徘徊癖が心配される家族が知らない間に出かけることを未然に防ぐために使ったり、出かけてしまった後に服装などの情報を捜索依頼する場合のために残せる。出かけようとしている時に音や光の点滅などで知らせるアラームがオプションで付けられるようにしておくことも有効である。
▲６▼玄関にセットしてドアの外を撮る。
カメラ本体に外部カメラの入力端子を設け、玄関ドアののぞき穴に取付けられる小型オプションカメラを接続できるようにすれば、ドアの外の風景やドアの外をうろつく不審者の映像を撮ることも可能である。
▲７▼室内にセットして空き巣やストーカーなどの侵入を見張る。
最悪の場合でもカメラやデータに危害を加えられないようにしておく必要があるので、壁などにシッカリと固定できる防犯タイプのケースや、中にカメラが入っていることが分からないような偽装ケース、更にカメラが録画してる最中の音や光などが外部に漏れないようにした消音ケースなどをオプションとして用意するのもよい。それらのケースに収めた上で自動録画モードのスイッチをＯＮにしておく。
▲８▼庭木の花（５）やベランダなどに設けたエサ台にやって来る小鳥（４）の姿を室内から撮る。
カメラを三脚（２）に載せ、狙う枝や場所にカメラを向け、ズーム調節でフレームサイズを決める。自動録画モードのスイッチをＯＮにして小鳥が来るのを待つ。小鳥を怖がらせないように内側のカーテンを閉めておく。カメラにタイマーを付け、自動録画モードと組み合わせれば、例えば早朝４時から自動録画モードをスタートさせて小鳥の訪れを待つとか、使い方のバリエーションを広げることが出来る。
▲９▼ごみ置き場を荒らす猫やカラス、イタチの行動を撮り対策を練る。
カラスは黄色い袋は見透かせないとか聞いたことがあるが、色や形状などについて、相手の行動を見ながら研究する時に役立てられる。
▲１０▼畑を荒らす猿やシカ、タヌキやハクビシンなどの野生害獣の行動を撮り被害の実態を把握し対策を練る。
カメラを木などにくくり付けられるような収納ケースをオプションとして用意するのもよい。狙う相手が通りそうな所にカメラを設置し、自動録画モードのスイッチをＯＮにして撮る。
▲１１▼かけっこやレースなどのゴール付近にセットし、テープカットの瞬間を撮ったり、僅差の場合などには簡易的な写真判定として利用することも可能である。
▲１２▼野球場の外野ポール頂部に取り付ければ、ファールかホームランかの判定の一助にもなり得る。
▲１３▼苺のビニールハウスなどで虫（６）が受粉する姿をイチゴの花（７）のズームアップで待ち構えて撮るとか、カブトムシを呼び寄せるエサの種類を比較研究する場合などにも利用可能である。
▲１４▼自衛隊の野営陣地などの周囲に向けてセットすれば、見張りの一助になり得る。
音や光の点滅などで知らせるアラーム・オプションを付けたカメラを周囲に向けて数台セットすれば、何かが侵入してきた場合も、隠れていた何かが動き出した場合も自動録画モードが反応してアラームを発してくれる。
▲１５▼警察の張込み捜査時のツールとして使う。
対象の人物や建物などに向けてカメラを設置すれば、夜中でも人の出入りを録画することが可能なので無人のままでも張込みを続行することが可能である。
自動録画モードのスイッチをＯＮにした後に実際に録画された回数と、録画時間を表示させれば、セット後に自動録画が実施されたかどうかが一目で分かるので、回数ゼロならチェックする必要がなくなる。
【図面の簡単な説明】
【０００７】
【図１】室内にカメラを設置して駐車場に止めた車がイタズラされないように見張ってる様子を示す本発明の実施例を示す斜視図である。
【図２】庭の桜の枝に訪れる小鳥の姿を狙って本発明のカメラで自動録画した場合の実施例を示す斜視図である
【図３】苺の花に虫が止まって受粉する姿を花のズームアップで待ち構えて撮った実施例を示す斜視図である。
【符号の説明】
【０００８】１  ビデオカメラ          ２  三脚              ３  自動車
４  小鳥                  ５  庭木の花          ６  虫
７  イチゴの花
【図１】
2015226318.tif 000003
【図２】
2015226318.tif 000004
【図３】
2015226318.tif 000005